(57)【特許請求の範囲】
【請求項１】
左右又は上下に折り畳み可能な、スマートフォン用のケース機能を有する本体を備えた手帳型スマートフォンケースであって、
顔当て部が少なくとも前記本体のほぼ全体によって形成され、
前記手帳型スマートフォンケースの本体を開いたまま顔に押し当てることによって、前記顔当て部が前記顔の少なくとも鼻と口を覆い囲うことが可能であって、
防煙・防毒マスクの機能を持ち、
前記顔当て部は囲い部材を有し、
前記囲い部材の少なくとも一部は、前記本体に取り付けられているとともに、立った状態と寝た状態が選択出来、前記囲い部材は、スマートフォンケースとして使用時には寝た状態となり、前記防煙・防毒マスクとしての使用時には立った状態とすることが出来る手帳型スマートフォンケース。
【請求項２】
前記囲い部材は、前記寝た状態では、前記本体の内側に折り畳まれて寝た状態となる、請求項１記載の手帳型スマートフォンケース。
【請求項３】
前記手帳型スマートフォンケースの本体の一部または、前記囲い部材の一部には、空気取り込み部が設けられている、請求項１記載の手帳型スマートフォンケース。
【請求項４】
前記空気取り込み部には吸入管が連通状態で取り付けられており、
使用時には、外部の空気が前記吸入管だけを通じて取り込まれる、請求項３記載の手帳型スマートフォンケース。
【請求項５】
前記空気取り込み部は、煙や有毒ガスをフィルタリングできるフィルタ層あるいはフィルタ部材を有する、請求項３記載の手帳型スマートフォンケース。
【請求項６】
前記空気取り込み部の前記フィルタ層あるいは前記フィルタ部材は、金属性の板、枠、または箔で構成される密封部材を利用して密封されている、請求項５記載の手帳型スマートフォンケース。
【請求項７】
酸素発生剤が前記密封部材の中に備えられている、請求項６記載の手帳型スマートフォンケース。
【発明の詳細な説明】
【技術分野】
【０００１】
本発明は、手帳型スマートフォンケースであって、防毒・防煙マスク機能を兼ね備えるスマートフォンケースに関する。
【背景技術】
【０００２】
従来、火事によって死傷者が発生した場合、多くは一酸化炭素のような有毒ガスや煙を吸って亡くなることが多い。そこで、このような火事に対する対策として、有毒ガスマスクが知られている（特許文献１参照）。
【先行技術文献】
【特許文献】
【０００３】
【特許文献１】特開２００９−１５３７２６号公報
【発明の概要】
【発明が解決しようとする課題】
【０００４】
しかしながら、そのような有毒ガスマスクが置かれている場所は職場など限りがあり、いざというとき身近に無く役に立ちづらかった。
【０００５】
そこで、発明者は、スマートフォンは常に身近に置いてすぐ使えるようにしている人々が多いことに着目し、火事などの際、図１や図２の手帳型スマートフォンケースが防煙・防毒マスクに利用できる可能性を発見した。ここで、１０はスマートフォン、１’は手帳型スマートフォンケースである。
【０００６】
本発明は、上記従来の技術の課題に鑑みて、防煙・防毒機能を持つ手帳型スマートフォンケースを提供することを目的とする。
【課題を解決するための手段】
【０００７】
第１の本発明は、
左右又は上下に折り畳み可能な、スマートフォン用のケース機能を有する本体を備えた手帳型スマートフォンケースであって、
顔当て部が少なくとも前記本体のほぼ全体によって形成され、
前記手帳型スマートフォンケースの本体を開いたまま顔に押し当てることによって、前記顔当て部が前記顔の少なくとも鼻と口を覆い囲うことが可能であって、
防煙・防毒マスクの機能を持ち、
前記顔当て部は囲い部材を有し、
前記囲い部材の少なくとも一部は、前記本体に取り付けられているとともに、立った状態と寝た状態が選択出来、前記囲い部材は、スマートフォンケースとして使用時には寝た状態となり、前記防煙・防毒マスクとしての使用時には立った状態とすることが出来る手帳型スマートフォンケースである。
【０００８】
第２の本発明は、
前記囲い部材は、前記寝た状態では、前記本体の内側に折り畳まれて寝た状態となる、第１の本発明の手帳型スマートフォンケースである。
【０００９】
第３の本発明は、
前記手帳型スマートフォンケースの本体の一部または、前記囲い部材の一部には、空気取り込み部が設けられている、第１の本発明の手帳型スマートフォンケースである。
【００１０】
第４の本発明は、
前記空気取り込み部には吸入管が連通状態で取り付けられており、
使用時には、外部の空気が前記吸入管だけを通じて取り込まれる、第３の本発明の手帳型スマートフォンケースである。
【００１１】
第５の本発明は、
前記空気取り込み部は、煙や有毒ガスをフィルタリングできるフィルタ層あるいはフィルタ部材を有する、第３の本発明の手帳型スマートフォンケースである。
【００１２】
第６の本発明は、
前記空気取り込み部の前記フィルタ層あるいは前記フィルタ部材は、金属性の板、枠、または箔で構成される密封部材を利用して密封されている、第５の本発明の手帳型スマートフォンケースである。
【００１３】
第７の本発明は、
酸素発生剤が前記密封部材の中に備えられている、第６の本発明の手帳型スマートフォンケースである。
【００１４】
以下の各発明は、上記本発明に関連する発明である。
【００１５】
すなわち、
第１の関連発明は、
左右又は上下に折り畳み可能な、スマートフォン用のケース機能を有する本体を備えた手帳型スマートフォンケースであって、
顔当て部が少なくとも前記本体のほぼ全体によって形成され、
前記手帳型スマートフォンケースの本体を開いたまま顔に押し当てることによって、前記顔当て部が前記顔の少なくとも鼻と口を覆い囲うことが可能であって、
防煙・防毒マスクの機能を持つことを特徴とする手帳型スマートフォンケースである。
【００１６】
第２の関連発明は、
前記顔当て部は囲い部材を有し、
前記囲い部材の少なくとも一部は、前記本体に取り付けられているとともに、立った状態と寝た状態が選択出来、前記囲い部材は、スマートフォンケースとして使用時には寝た状態となり、前記防煙・防毒マスクとしての使用時には立った状態とすることが出来る、第１の関連発明の手帳型スマートフォンケースである。
【００１７】
第３の関連発明は、
前記囲い部材は、前記寝た状態では、前記スマートフォンケースの本体の内側に折り畳まれて寝た状態となる、第２の関連発明の手帳型スマートフォンケースである。
【００１８】
第４の関連発明は、
前記手帳型スマートフォンケースの本体の一部または、前記囲い部材の一部には、空気取り込み部が設けられている、第２の関連発明の手帳型スマートフォンケースである。
【００１９】
第５の関連発明は、
前記空気取り込み部には吸入管が連通状態で取り付けられており、使用時には、外部の空気が前記吸入管だけを通じて取り込まれる、第４の関連発明の手帳型スマートフォンケースである。
【００２０】
第６の関連発明は、
前記空気取り込み部は、煙や有毒ガスをフィルタリングできるフィルタ層あるいはフィルタ部材を有する、第４の関連発明の手帳型スマートフォンケースである。
【００２１】
第７の関連発明は、
前記空気取り込み部の前記フィルタ層あるいはフィルタ部材は、金属性の板、枠、または箔で構成される密封部材を利用して密封されている、第６の関連発明の手帳型スマートフォンケースである。
【００２２】
第８の関連発明は、
酸素発生剤が前記密封部材の中に備えられている、第７の関連発明の手帳型スマートフォンケースである。
【発明の効果】
【００２３】
第１の本発明によって、簡単に身近な手帳型スマートフォンケースを火事の際の防煙・防毒マスクにすることが出来る。さらに、普段は囲い部材を寝かせておいて、スマートフォンのケースとして利用し、火事の際は、囲い部材を立てることによって、防煙・防毒マスク化出来る。
【００２４】
第２の本発明は、囲い部材が折り畳まれているため、スマートフォンのケースとして利用する際にも囲い部材は邪魔にならない。
【００２５】
第３の本発明は、空気取り込み部があるため、長時間防煙・防毒機能を発揮出来る。
【００２６】
第４の本発明は、吸気管によって、きれいな空気を取り込むことができる。
【００２７】
第５の本発明は、フィルタリングによりきれいな空気を取り込むことができる。
【００２８】
第６の本発明は、密封されているので長期間にわたって、防煙・防毒機能が保持できる。
【００２９】
第７の本発明は、酸素発生剤により酸素を供給できるとともに、その性能も長期間保持できる。
【図面の簡単な説明】
【００３０】
【図１】従来の、スマートフォンがセットされた手帳型スマートフォンケースの斜視図
【図２】図１からスマートフォンを除いた斜視図
【図３】本発明の実施の形態にかかる手帳型スマートフォンケースの斜視図
【図４】同実施の形態において、囲い部材を立てた状態を示す斜視図
【図５】同実施の形態における、フィルタ層などを示す略示断面図
【図６】（Ａ）、（Ｂ）同実施の形態における囲い部材の折りたたみ方を示す斜視図
【図７】（Ａ）、（Ｂ）同実施の形態の手帳型スマートフォンケースの使用方法を示す図
【図８】顔と、同実施の形態のスマートフォンケースの囲い部材との関係を示す正面図
【図９】同実施の形態における空気取り込み部の組み立て方などの具体例１を示す図
【図１０】同実施の形態における空気取り込み部の組み立て方などの具体例１を示す図
【図１１】同実施の形態における空気取り込み部の組み立て方などの具体例１を示す図
【図１２】同実施の形態における空気取り込み部の組み立て方などの具体例１を示す図
【図１３】同実施の形態における空気取り込み部の組み立て方などの具体例１を示す図
【図１４】同実施の形態における空気取り込み部の組み立て方などの具体例１を示す図
【図１５】同実施の形態における空気取り込み部の組み立て方などの具体例２を示す図
【図１６】同実施の形態における空気取り込み部の組み立て方などの具体例２を示す図
【図１７】同実施の形態における空気取り込み部の組み立て方などの具体例２を示す図
【図１８】同実施の形態における空気取り込み部の組み立て方などの具体例２を示す図
【図１９】同実施の形態における空気取り込み部の組み立て方などの具体例２を示す図
【図２０】同実施の形態における空気取り込み部の組み立て方などの具体例２の変形例を示す図
【図２１】同実施の形態における空気取り込み部の組み立て方などの具体例２の変形例を示す図
【図２２】同実施の形態における空気取り込み部の組み立て方などの具体例２の変形例を示す図
【図２３】同実施の形態における空気取り込み部の組み立て方などの具体例２の変形例を示す図
【図２４】同実施の形態における空気取り込み部の組み立て方などの具体例３を示す図
【図２５】同実施の形態における空気取り込み部の組み立て方などの具体例３を示す図
【図２６】同実施の形態における空気取り込み部の組み立て方などの具体例３の変形例を示す図
【図２７】同実施の形態における空気取り込み部の組み立て方などの具体例４を示す図
【図２８】図２７の変形例を示す図
【図２９】図２８の例のおける、吸入管４４の普段の収納状態を示す図
【図３０】図２７の更なる別の変形例を示す図
【図３１】図３０の例のおける、吸入管４４の普段の収納状態を示す図
【発明を実施するための形態】
【００３１】
以下、本発明の手帳型スマートフォンケースの実施の形態について、図面を用いて説明する。
【００３２】
図３は、本発明における実施の形態における、左右に折り畳み可能なタイプの手帳型スマートフォンケースの斜視図であり、図４は、その手帳型スマートフォンケースの囲い部材を立てた状態を示す斜視図である。
【００３３】
図３において、１はスマートフォンケースの本体、２は折り畳まれた状態の囲い部材、３はスマートフォンケースの本体１の主面、４はスマートフォン１０をスマートフォンケースの本体１に取り付けるための基片、５は手帳型スマートフォンケースを閉じたときの連結片、６は囲い部材２をスマートフォンケースの本体１の主面３へ寝かせた状態で接合するための面ファスナー、７は囲い部材２を折り畳んだ場合の互いを接合するための面ファスナーである。なお、囲い部材２は本発明の顔当て部Ｆの一部である。すなわち、本実施の形態における顔当て部Ｆは、上記スマートフォンケースの本体１のほぼ全体と、囲い部材２とで構成されている。
【００３４】
ここに、図３は囲い部材２を折り畳みながら寝かせた状態を示す。囲い部材２は上下に位置する囲い部材２ａと左右に位置する囲い部材２ｂとから構成される。その隣り合う囲い部材２ａと２ｂとは、後述するようにしてその両端において折り畳まれて、スマートフォンケースの本体１の主面３に密着しており、面ファスナー６によってその密着は保持され、囲い部材２ａ，２ｂ同士も密着しており、面ファスナー７によってその密着は保持されている。
【００３５】
更に、図３では省略しているが、図４に示すように、スマートフォンケースの本体１の主面３には、空気取り込み部８が設けられている。この空気取り込み部８は、図５に示すように、主に、外側から順に、保護表層８ａ、フィルタ層８ｂとから構成されている。
【００３６】
このフィルタ層８ｂは、一酸化炭素、煤煙、塩化水素、硫化水素などの有毒ガスをフィルタリングする機能を有する層である。保護表層８ａはそのフィルタ層８ｂを保護する表側の層であって、空気を取り込める多数の孔が開けられている。なお、囲い部材２は上述のように寝た状態ではこのフィルタ層８ｂに全面的又は部分的に接合している。この囲い部材２は通常、空気を通過させない材料で出来ているが、上記フィルタ層の機能を持たせる場合は空気を通過させることも可能である。
【００３７】
次に、囲い部材２の折り畳み方を説明する。図６はその折り畳み方の一例を示し、図６（Ａ）は上方の囲い部材２ａの端２ａ１が下側に、左側の囲い部材２ｂの端２ｂ１が上側に来るようにして（中抜き矢印参照）、折り畳む様子を示す。図６（Ｂ）はその結果を示す。なお折り畳み方はこれに限らず任意の折り畳み方でよい。
【００３８】
次に、火事が発生した場合について説明する。先ず、スマートフォンケースの本体１を左右に開き、それからスマートフォン１０を取り外す。その後、上記図３に示すような囲い部材２が寝た状態で、中抜き矢印で示す場所を、指で引っ掛けて面ファスナー６，７を剥がし、図４に示すように十分に立設させる。そのように囲い部材２を上下左右に十分に立てた状態の手帳型スマートフォンケースの本体１を開いたままで、図７に示すように、手のひらで表側を持ち、顔の鼻と口を覆うように、囲い部材２を顔面に押し付ける。
図７（Ａ）はその様子を示す斜視図、図７（Ｂ）はその様子を示す略示断面図である。
【００３９】
このようにすることで、火事で発生した有毒ガスをフィルタリングしながら呼吸することが出来るので緊急避難が可能になる。
【００４０】
次に、更に上記実施の形態について詳細に説明する。
【００４１】
図８に示すように、出来るだけ、老若男女問わず顔にフィットする囲い部材２が望ましいので、先に老若男女に対応した色々な囲い部材２の形を決めて、それをスマートフォンケースの本体１に取り付け、そして折り畳めるようにすることが望ましい。そのためには、スマートフォンケースの本体１の外周縁から囲い部材２を立ち上げる必要は必ずしもない。このようにすることによって、顔との隙間を無くすことが出来る。すなわち、通常スマートフォンケースの本体１の形状は矩形状であるが、囲い部材２の形状は矩形状に限られない。
【００４２】
図９〜図２６は空気取り込み部８の詳細な各具体例を示す。
【００４３】
＜具体例１＞
スマートフォンケースの本体１の主面３に窓２５を開けておき（図１２参照）、そこに次のようにして組み立てた部材を嵌めこむやり方である。
【００４４】
図９に示すように、こしのある堅固な多孔板２０に、少なくともフィルタ層を有するフィルタ部材２１を貼り合わせる。それをアルミ枠２２に嵌めこむ。図１０（Ａ）はその嵌め込まれた状態の斜視図であり、図１０（Ｂ）はその断面側面図である。なお、図１０（Ｃ）は多孔板２０とフィルタ部材２１の間にスペーサ２３を介在させた例であって、フィルタ部材２１と多孔板２０が密着し過ぎて、フィルタ機能が落ちることを防止するためである。
【００４５】
図１１（Ａ）は、そのようにしてはめ込まれた部材の表と裏側から、アルミ箔２４を貼り付けた斜視図であり、図１１（Ｂ）はその断面図である。アルミ箔２４はアルミ枠２２に接着しているので密封性が高い。
【００４６】
図１２は、そのようにしてアルミ箔２４が接着され、フィルタ部材２１が密封された部材を、主面３に窓２５が開けられたスマートフォンケースの本体１に嵌めこむ図である。嵌め込む際、しっかり接着固定する必要がある。後でアルミ箔２４を剥がすときぐらついてはいけないからである。２６はスペーサ部材であり、スマートフォンの不使用時に、スマートフォンケースの本体１を畳んだ時、フィルタ部材２１に主面３が強く当たることを防ぐ機能を果たす。
【００４７】
このように、空気取り込み部８のフィルタ層あるいはフィルタ部材２１などは、金属性の板、枠、または箔で構成される密封部材を利用して密封されている。なお、以下の実施例でも同様なことがいえる。
【００４８】
図１３はその後、その上から、化粧シート２７を貼り付けた内側の斜視図であり、図１４はその外側の斜視図である。
【００４９】
＜具体例２＞
図１５は従来設けられているスマートフォンの、合成皮革本体のこし用部材として樹脂板２８を利用するものであって、それ自体に多孔２８ａを開けて、それを利用する例である。図１５、図１６に示すように、合成皮革本体の表と裏に窓Ｗが開けられ、その窓Ｗに露出している部分の樹脂板２８に多孔２８ａが穿設され、さらにその樹脂板２８の多孔２９ａを囲うように周囲に、表裏ともにアルミ枠２９を貼り付ける。
【００５０】
更に、図１７（Ａ）の斜視図と、図１７（Ｂ）の断面図に示すように、内側の方のアルミ枠２９にのみフィルタ部材２１を嵌め込む。その上を、図１８の斜視図、図１９の断面図に示すように、アルミ箔３０で表裏とも覆っている。これによって、フィルタ部材２１の密着性が確保できる。
【００５１】
図２０は具体例２の変形例である。この例では合成皮革本体のこし用部材としてアルミ板２８’を利用する。すなわち、図２０に示すように、合成皮革本体の表と裏にそれぞれ開けられた窓Ｗに露出しているアルミ板２８’部分自体に、多孔２８’ａを穿設している。
【００５２】
次に、図２１（Ａ）に示すように、そのアルミ板２８’の内側に凹み２８’ｂが形成されており、その凹み２８’ｂにフィルタ部材２１を嵌め込む。
【００５３】
あるいは図２１（Ｂ）に示すように、凹み２８’ｂを形成せず、アルミ板２８’の内側にそのままフィルタ部材２１を貼り付けてもよい。
【００５４】
次に、図２２（Ａ）、（Ｂ）に示すように、表裏からアルミ箔３０を貼り付ける。金属同士の接着であるから密封性が高い。図２３はその状態を示す内側斜視図である。この変形例ではアルミ枠２９を用いないのでコストダウンとなる。
【００５５】
他方、合成皮革本体については、最初、２枚のシート部材の外周を縫い合わせておくが、隣り合う２辺は閉じないでおき、その個所から上述した図２２（Ａ）、（Ｂ）の部材を差込み挿入し、窓Ｗとアルミ箔３０などの位置合わせをしたのち、貼り合わせる。その貼り合わせは例えば、皮革の窓Ｗの内縁の周囲に接着剤付きシリコンテープを予め貼付しておき、シリコンテープを剥がしながら貼り合わせていく。
【００５６】
最後に、皮革の上記隣り合う２辺を縫い閉じする。
【００５７】
＜具体例３＞
図２４（Ｂ）に示すように、スマートフォンケースの本体１のこし用樹脂板に窓３１を空けておく。他方、図２４（Ａ）に示すように、多孔３３のアルミ板３２を用意する。そこで、図２４（Ｃ）に示すように、そのアルミ板３２の片側にフィルタ部材２１を多孔３３を覆うように貼り付ける。その際、フィルタリング機能を落とさないように、隙間Ｓを設けておく。その上から更に、表側も裏側も、アルミ箔３０で覆う。
【００５８】
その後、図２５に示すように、そのアルミ箔３０で覆った部材を、スマートフォンケースの本体１に設けられている上記窓３１を内側から覆うように窓３１の内縁部に貼り付ける。なお、外側に来る外側の舌片３０ａは樹脂板の窓３１をくぐらせて組み立てる。その樹脂板へのアルミ板３２の接着も剥がれないように強固にする必要がある。なお、窓３１の内縁部に貼り付けたが、それに代えて、窓３１に嵌め込むことも可能である。
【００５９】
なお、図２４（Ｃ）では、アルミ箔３０を表側も裏側も覆って貼り付けたが、変形例として、図２６（Ｃ）に示すように、表側は貼り付けず、内側のみアルミ箔３０を貼り付けておき、それを図２６（Ｂ）に示すスマートフォンケースの本体１の窓３１の内側の内縁部に貼り付け、それから図２６（Ａ）に示す表側アルミ箔３０を表側から貼り付けるようにしてもよい。図２６（Ｄ）が完成品である。
【００６０】
＜具体例４＞
図２７（Ａ）に示すように、スマートフォンケースの本体１のこし用部材として、アルミ板４０を用いる。そこには多孔４１が形成され、さらに、それらの多孔４１にはそれぞれフィルタ部材２１が詰め込まれている。図２７（Ｂ）に示すように、その表側と裏側から、アルミ箔３０、３０を貼り付ける。
【００６１】
多孔４１の大きさは出来るだけ大きいことが、フィルタ機能を発揮するうえで望ましい。
【００６２】
なお、更なる変形例としては、酸素発生剤を取り付けておくことが望ましい。その場合は、アルミ箔３０で封入された内側に配置することが望ましい。そうすることで経年劣化を防ぐことができるからである。さらにその取り付け位置としては、出来るだけ使用時における口に近い位置が望ましい。使用時に人が吐く息の湿り気も酸素発生に利用できるからである。なお、酸素発生剤は、アルミ箔３０の内側でなくても、そのアルミ箔３０の外側の、例えば囲い部材２の内側に備えられていてもよい。
【００６３】
その酸素発生剤を使用するときは、その素材にもよるが、水やお茶を適宜掛けることによって酸素を発生させる。適当な水やお茶が見当たらないときは、唾を吹き付けることも可能である。
【００６４】
このような酸素発生剤をスマートフォンケースの所定の場所に装着しておくことで、フィルタ部材２１の機能と相まって、出来るだけ長く呼吸を助けることが出来るようになる。なお、この酸素発生剤の取り付けは、本発明の全ての実施例に適用可能である。
【００６５】
図２８（Ａ）、（Ｂ）は、図２７の例の変形例である。本例では、外側の方のアルミ箔３０は存在せず、その代わりに、アルミ素材で出来た底の浅い箱４２がアルミ板４０に被せられて密封されている。従って、フィルタ部材２１の部分はその箱４２の中空部分Ｐに連通している。さらに、その箱４２の下部４３には吸入管４４が連通状態で取り付けられ、その中空部分Ｐと連通している。すなわち、同図（Ｂ）に示すように、アルミ板４０の下部に引き込み孔４５が穿設されており、中空部分Ｐに連通し、その引き込み孔４５に吸入管４４が連結されている。なお、この例では囲い部材２の内側に引き込み孔４５が設けられている。
【００６６】
従って、使用時には、箱４２は剥がさずそのままの状態で、図２８に示すように、吸入管４４の下端４４ａ（図２９参照）を下方に垂れ下げて使用する。その際、囲い部材２の嵩の低い部分を乗り越えて垂らす。手で囲い部材２を顔に押してけるので隙間が出来る心配はない。さらには、下記するように、吸入管４４の下端４４ａは下着や上着などの衣服の内側に挿入することも望ましい。ここで、中空部分Ｐは吸入管４４だけを通じて外部の空気を取り入れることになる。
【００６７】
なお、普段は、図２９に示すように、吸入管４４は囲い部材２の内側へ引き込まれて更に巻回された状態で、囲い部材２の下に収納しておく。すなわち、その引き込み孔４５から引き込まれた吸入管４４は巻回された状態で、折り畳まれている状態の囲い部材２の下に収納される。また、その引き込み孔４５の位置は、下辺に設けるのが望ましい。さらには、図では端の位置だが、中央位置でもよい。その収納によって、中空部分Ｐは外部の空気と遮断されているが、さらには吸入管４４の途中に逆止弁を設けておいてもよい。
【００６８】
あるいは、図２８（Ｂ）に示すように、箱４２の下部４３の引き込み孔４５に、アルミ製の逆止弁４６を設けておく。これらによって普段は封止しておき、火事の際は呼吸することで外から空気を中空部分Ｐへ吸入することができる。この場合は、囲い部材２や本体１の一部に、排気用シリコン弁を設けておくことが必須になる。他の変形例では排気用シリコン弁の取り付けは任意である。
【００６９】
また、非使用時には、吸入管４４の先端４４ａを上からシールしておくこともよい。火事の際、吸入管４４を引っ張ることで引き剥がすことも出来る。
【００７０】
シールと逆止弁４６を組み合わせることも、フィルタ部材２１や酸素発生剤の保存期間を延ばすために有効である。
【００７１】
なお、図３０に示すように、吸入管４４は囲い部材２の外側に配置されるようにしてもよい。図３１は、折り畳まれた囲い部材２の上側に巻回配置された状態の斜視図である。この場合は、使用するときに吸入管４４を下に垂らすが、囲い部材２を乗り越える必要はないメリットがある。
【００７２】
図２９乃至図３１のいずれの例にしても、火事の際には、囲い部材２を開き立てると同時に、その巻回されている２本の吸入管４４をほどきながら引っ張り出し、各先端４４ａを下方に垂らすとともに、自分の下着や上着の下に首回りから挿入する。そうすることによって、火事の際に生じる煤煙を下着や上着がまずブロックし、その煤煙が除去された空気をさらにフィルタ部材２１がフィルタリングすることになり、フィルタ部材２１の触媒などのフィルタリング機能を助けることになる。
【００７３】
これら実施例においては、二本の吸入管４４で呼吸するので、一本の吸入管４４の径が細くても呼吸はしやすい。
【００７４】
もちろん、下着や上着の下に挿入せず、そのまま下方へぶら下げて使用してもよい。それによっても煤煙などは熱せられて上方へ移動するので、口元で空気を吸うより、それより下で吸う方がよりきれいな空気を吸い込む可能性が高い。
【００７５】
図２８乃至図３１の例の場合は、火事の際、ａ．囲い部材を立てる、ｂ．吸入管を下へ垂らす、ｃ．内側のアルミ箔を剥がすという簡単なステップで、対応できる。
【００７６】
この図２８乃至図３１の変形例の、箱４２と吸入管４４を取り付けることは、本例だけでなく、先に述べた各例にも適宜適用可能である。
【００７７】
上述した具体例１、２、３、４などにおいては、いざというときには、スマートフォン１０を取り去り、囲い部材２を立て、表側と裏側のアルミ箔を剥がせば、直ちに防煙・防毒マスクが完成するので、慌てていても容易に利用できる。また、フィルタ部材２１はアルミ材料で密封されているので長期間有効性を保てる。
【００７８】
また、上述した具体例１，２、３、４などにおける説明における組み立て順序は、実際の本発明のスマートフォンケースを製造する際の製造順序とは必ずしも限らず、その構造を分かりやすくするためにあえて順序的な説明をした部分も含まれている。従って、その製造順序や製造方法はここに記載の方法に限られず、任意の方法でよい。
【００７９】
なお、上述したが、本発明の囲い部材は、スマートフォンケースの本体の外周に必ずしも設けられていなくてもかまわない。例えば、スマートフォンケースの本体の内面の途中から立設されるようになっていてもよい。あるいは囲い部材の一部、例えば上方部は外周に設けられており、残る下方部はスマートフォンケースの本体の内面の途中から立設されていてもよい。
【００８０】
また、本発明の顔当て部は、そもそも囲い部を有しなくてもよく、手帳型スマートフォンケースの一部で構成されていても構わない。例えば、スマートフォンケースの本体の外周の縁部自体が柔軟に出来ており（弾性又は塑性を有する）、いざというとき手で変形させて、鼻や口を覆うことのできるタイプであってもよい。
【００８１】
また、空気取り込み部８は必須とは限らない。すなわち、囲み部材の高さを大きくすることによって、囲い込んだ空間を大きくすることが出来、そのような場合、１０ｍ、２０ｍなど短い距離ならその大きな空間内の空気だけで避難可能な場合もある。吐いた空気の中にも酸素が残っているからである。ともかく、火事場で発生した一酸化炭素などを吸わないように出来ればいいからである。
【００８２】
また、上述したように、本発明の囲い部材の方の一部に、煙や有毒ガスをフィルタリングできるフィルタ層あるいはフィルタ部材を有する空気取り込み部が設けられていてもよい。あるいは、スマートフォンケースの本体側と、囲い部材側の双方にフィルタ層あるいはフィルタ部材を有する空気取り込み部が設けられていてもよい。なお、そのフィルタ層やフィルタ部材は、例えば、吸着層や触媒層が多層されていてもよい。
【００８３】
なお、予めフィルタリング素材をアルミ袋に入れて密封しておいた部材を、火事の時、現場で逃げる人自らが剥がして、上記実施例のような囲い部材と窓を有するスマートフォンケースの本体に嵌め込み、貼り付けることも可能である。そのような場合、慌ててフィルタ部材とスマートケースの本体との間に隙間が出来ないように気をつける必要がある。
【００８４】
また、本発明においては、アルミ箔、アルミ板、アルミ枠などに限らず、他の金属を使用してもよく、更には、少し密封性が弱くなるが、それらに代えて樹脂部材を用いてもよい。
【００８５】
また、本発明は、左右に開き、折り畳むタイプにかぎらず、上下に開き、折り畳むタイプの手帳型スマートフォンケースであってもよい。火事の使用時に折れ曲がる直線部分を鼻に合わせればよいからである。
【産業上の利用可能性】
【００８６】
本発明の手帳型スマートフォンケースによれば、普段スマートフォンケースとして利用出来、火事の際には身近にあるので直ぐに防煙・防毒マスクとして利用できるので、火事の際の防煙・防毒マスクとしても有用である。
【符号の説明】
【００８７】
１  スマートフォンケースの本体（顔当て部）
１’  手帳型スマートフォンケース
２  囲い部材（顔当て部）
３  スマートフォンケースの本体の主面
４  基片
５  連結片
６、７  面ファスナー
８  空気取り込み部
８ａ  保護表層
８ｂ  フィルタ層
１０  スマートフォン
Ｆ  顔当て部
【要約】
火事の際、身近なもので有毒ガスを防ぐこと。
顔当て部が設けられ、その顔当て部によって、顔の少なくとも鼻と口を覆い囲うことが出来る防煙・防毒マスク機能を持つ手帳型スマートフォンケースであり、その顔当て部は囲い部材２を有し、囲い部材２の少なくとも一部は、手帳型スマートフォンケースの本体１の外周に設けられているとともに、立った状態と寝た状態が選択出来、囲い部材２は、スマートフォンケースとして使用時には寝た状態となり、マスクとして使用時には立った状態とすることが出来る手帳型スマートフォンケース。【図１】
0006894584.tif 000002
【図２】
0006894584.tif 000003
【図３】
0006894584.tif 000004
【図４】
0006894584.tif 000005
【図５】
0006894584.tif 000006
【図６】
0006894584.tif 000007
【図７】
0006894584.tif 000008
【図８】
0006894584.tif 000009
【図９】
0006894584.tif 000010
【図１０】
0006894584.tif 000011
【図１１】
0006894584.tif 000012
【図１２】
0006894584.tif 000013
【図１３】
0006894584.tif 000014
【図１４】
0006894584.tif 000015
【図１５】
0006894584.tif 000016
【図１６】
0006894584.tif 000017
【図１７】
0006894584.tif 000018
【図１８】
0006894584.tif 000019
【図１９】
0006894584.tif 000020
【図２０】
0006894584.tif 000021
【図２１】
0006894584.tif 000022
【図２２】
0006894584.tif 000023
【図２３】
0006894584.tif 000024
【図２４】
0006894584.tif 000025
【図２５】
0006894584.tif 000026
【図２６】
0006894584.tif 000027
【図２７】
0006894584.tif 000028
【図２８】
0006894584.tif 000029
【図２９】
0006894584.tif 000030
【図３０】
0006894584.tif 000031
【図３１】
0006894584.tif 000032